(57)【要約】【課題】例えばアームレストを備えたドアトリムのように、二つ以上の部品からなる車両用内装材について、その組み付けを容易に行うことが可能であり、且つ用途によって確実に固定ができる車両用内装材及び該車両用内装材の組付方法を提供する。【解決手段】少なくとも二つの部品からなる車両用内装材１であって、一方の部品２０側に設けられた爪部３１と、他方の部品１０側に設けられ爪部３１の係合部３２と、この係合部３２に隣接して設けられたボス部３３と、を備え、ボス部３３に、爪部３１とボス部３３の端部に押圧される固着部材３４が配設されて組み付けられる。【選択図】図３
2007145245.tif 000002
【特許請求の範囲】
【請求項１】
少なくとも二つの部品からなる車両用内装材であって、
一方の部品側に設けられた爪部と、他方の部品側に設けられた前記爪部の係合部と、該係合部に隣接して設けられたボス部と、を備え、
前記ボス部に、前記爪部と前記ボス部の端部に押圧される固着部材が配設されて組み付けられたことを特徴とする車両用内装材。
【請求項２】
前記爪部にはリブが設けられ、前記固着部材は前記リブに押圧されることを特徴とする請求項１記載の車両用内装材。
【請求項３】
前記ボス部にはリブが設けられ、前記固着部材は前記リブに押圧されることを特徴とする請求項１記載の車両用内装材。
【請求項４】
前記爪部のリブと、前記ボス部のリブと、前記ボス部の端部とは略同一平面上に位置していることを特徴とする請求項１乃至３いずれか記載の車両用内装材。
【請求項５】
前記爪部は前記ボス部の配設部を備えたことを特徴とする請求項１記載の車両用内装材。
【請求項６】
前記一方の部品はアームレストであり、他方の部品はドアトリム基材であることを特徴とする請求項１記載の車両用内装材。
【請求項７】
少なくとも二つの部品からなる車両用内装材の組付方法であって、
一方の部品側に設けられた爪部を、他方の部品側に設けられた係合部に係合する工程と、
前記係合部に隣接して設けられたボス部に固着部材を配設する工程と、
前記固着部材を前記爪部と前記ボス部の端部に押圧させる工程と、を備えたことを特徴とする車両用内装材の組付方法。
【請求項８】
前記一方の部品側に設けられた爪部を前記他方の部品側に設けられた係合部に係合する工程と略同時に、前記爪部に設けられた前記ボス部の配設部に前記ボス部を位置させる工程を行うことを特徴とする請求項７記載の車両用内装材の組付方法。
【発明の詳細な説明】
【技術分野】
【０００１】
本発明は車両用内装材及び該車両用内装材の組付方法に係り、特に、二つ以上の部品からなる車両用内装材及び該車両用内装材の組付方法に関する。
【背景技術】
【０００２】
自動車の車室内には内装材が配設され、車室内の各部位を構成している。内装材は複数の部品から構成され、これら複数の部品が組み付けられている。
例えば、ドアの内側にはドアトリムが配設され、さらにドアトリムには、着座した乗員が肘を掛けられるようにアームレストが設置されている。
このとき、アームレストを別体として作成し、ドアトリムの基材にアームレストを取り付けることが行われている。
【０００３】
従来のアームレストの取付構造を図４に示す。図４（ａ）は従来のアームレストの取付構造を示す要部説明図、図４（ｂ）は図４（ａ）のｂ−ｂ線断面図である。図示されているように、従来では、アームレスト１２０に爪部１３１を形成し、この爪部１３１をドアトリム基材１１０側に設けられた係合部１３２に係合させることにより、アームレスト１２０をドアトリム基材１１０に取り付けていた。
【０００４】
上記構成により、アームレスト１２０をドアトリム基材１１０に簡単に取り付けることができ、工数の低減及びコストダウンを図ることが可能となる。
しかし、上記構成では、アームレスト１２０は爪部１３１のみを介してドアトリム基材１１０に取り付けられているので、アームレスト１２０に大きな荷重や衝撃が加わった場合に、十分な強度を保つことができないという問題があった。
【０００５】
このため、図５に示す取付方法も知られている。図５（ａ）はねじを用いた取付構造を示す要部説明図、図５（ｂ）は図５（ａ）のｃ−ｃ線断面図である。
図示されているように、図５に示す従来例では、アームレスト１２０にボス部１３３を設け、このボス部１３３に裏面側からねじ１３４を配設して、アームレスト１２０をドアトリム基材１１０に取り付けている。
このような構成とすることにより、アームレストをドアトリムに取り付けたときに、十分な強度を保つことが可能となる。
しかし、図５に示す取り付け方法では、ねじ１３４を部材の裏面側から取り付けなければならないため、組み付け時に、ドアトリム基材１１０及びアームレスト１２０の外観を目視で確認することができないという不都合があった。
【０００６】
上記問題を解決するために、アームレスト側に二又形状の挟持部材を設け、この挟持部材を、ドアトリム側に設けられた係合孔に係合させ、係合孔の周縁部を挟持部材で挟むようにして固定し、アームレストの組み付け性を向上させた構成が提案されている（例えば、特許文献１参照）。
【特許文献１】特開平９−１０４２７５号公報
【０００７】
特許文献１の構成によれば、アームレスト側に挟持部材を複数設け、この挟持部材を、ドアトリム側に複数設けられた係合孔に係合させ、係合孔の位置でドアトリム基材を挟んで固定しているので、アームレスト取り付け時の強度を確保することが可能となる。
【発明の開示】
【発明が解決しようとする課題】
【０００８】
しかし、特許文献１の技術では、アームレストをドアトリムに取り付ける時に、挟持部材で確実に係合孔の周縁部を挟んで取り付ける必要があるため、挟持部材の位置の確認等が必要となり、組み付けにおいて手間がかかるという問題があった。
また、挟持部材の形状が複雑であり、破損しやすいという問題があった。
【０００９】
本発明の目的は、例えばアームレストを備えたドアトリムのように、二つ以上の部品からなる車両用内装材について、その組み付けを容易に行うことが可能であり、且つ用途によって確実に固定ができる車両用内装材及び該車両用内装材の組付方法を提供することにある。
【課題を解決するための手段】
【００１０】
上記課題は、本発明によれば、少なくとも二つの部品からなる車両用内装材であって、一方の部品側に設けられた爪部と、他方の部品側に設けられた前記爪部の係合部と、該係合部に隣接して設けられたボス部と、を備え、前記ボス部に、前記爪部と前記ボス部の端部に押圧される固着部材が配設されて組み付けられたことにより解決される。
【００１１】
このように、本発明の車両用内装材は、組み付けの際に、一方の部品に設けられた爪部と、他方の部品に設けられた係合部とを係合させると共に、他方の部品側に固着部材を配設させて組み付けられている。
すなわち、爪部と固着部材の二つの固定手段を用いて組み付けを行うように構成されている。
二つの固定手段のうち、爪部は、組み付け時に製品外観を目視で確認しながら作業ができるという機能を有する。
また、固着部材は二つの部材を確実に固定させるという機能を有する。
【００１２】
前記爪部にはリブが設けられ、前記固着部材は前記リブに押圧されると好適である。また、前記ボス部にはリブが設けられ、前記固着部材は前記リブに押圧されると好適である。
リブを設けることにより、固着部材を爪部及びボス部に確実且つ強固に取り付けることが可能となる。
さらに、前記爪部のリブと、前記ボス部のリブと、前記ボス部の端部とは略同一平面上に位置していると好適である。
このような構成により、爪部とボス部に、固着部材を確実に押圧させることが可能となる。
【００１３】
また、前記爪部は前記ボス部の配設部を備えていると好適である。爪部にボス部の配設部が設けられていることにより、爪部とボス部をより近くに位置させることができ、取り付け箇所の省スペース化を図ることが可能となる。また、爪部とボス部が近くに位置することで、固着部材を配設したときに、固着部材と爪部，ボス部の係合箇所が多くなり、より高い強度で組み付けを行うことが可能となる。
【００１４】
より具体的には、前記一方の部品はアームレストであり、他方の部品はドアトリム基材である。本発明の車両用内装材では、爪部と固着部材とで二つの部品の取り付けを行うように構成されているので、アームレストのように常時荷重がかかる部位であっても、高い強度で取り付けを行うことができる。したがって、経年によりアームレストとドアトリムの間に隙間が発生したり、アームレストの取り付け強度が低下する等の不都合を回避し、良好な取付状態を保つことが可能となる。
【００１５】
本発明の車両用内装材の組付方法は、次の通りである。
すなわち、少なくとも二つの部品からなる車両用内装材の組付方法であって、一方の部品側に設けられた爪部を、他方の部品側に設けられた係合部に係合する工程と、前記係合部に隣接して設けられたボス部に固着部材を配設する工程と、前記固着部材を前記爪部と前記ボス部の端部に押圧させる工程と、を備えたことを特徴とする。
【００１６】
なお、前記一方の部品側に設けられた爪部を前記他方の部品側に設けられた係合部に係合する工程と略同時に、前記爪部に設けられた前記ボス部の配設部に前記ボス部を位置させる工程を行うと好適である。
【発明の効果】
【００１７】
本発明の車両用内装材とその組付方法によれば、一方の部品側に設けられた爪部と、他方の部品側に配設される固着部材との二つの固定手段で組み付けを行うように構成されている。
【００１８】
したがって、爪部での組み付けにより、製品外観を目視で確認しながら効率良く組付作業を行なうことが可能となる。
また、アームレストのように取り付け強度が必要な部品の組み付けについては、固着部材を取り付けることにより、組付強度を確保し、荷重や衝撃への耐性を確保することが可能となる。
【００１９】
さらに、本発明によれば、爪部と固着部材での取り付けが可能であるため、爪部のみでの取り付けと、爪部と固着部材の両方による取り付けを、組み付けを行う車両用内装材ごとに選択することができ、適切な強度で組み付けを行うことが可能となる。
【発明を実施するための最良の形態】
【００２０】
以下、本発明の一実施の形態を図面に基づいて説明する。なお、以下に説明する部材，配置等は本発明を限定するものでなく、本発明の趣旨の範囲内で種々改変することができるものである。
【００２１】
図１乃至図３は本発明の一実施形態に係るものであり、図１は車両用内装材の一例としてのドアトリムを示す説明図、図２は図１のＡ部裏側を示す説明図、図３は図２のａ−ａ線断面図である。
【００２２】
本例では、車両用内装材として、アームレストを備えたドアトリムに基づいて説明するが、これに限らず、様々な車両用内装材の取り付けに応用することが可能である。例えば、樹脂部材を備えたインストルメントパネルやルーフライニング、或いは樹脂部材を備えたシートバック等にも適用可能である。
【００２３】
図１において、車両用内装材としてのドアトリム１は自動車ドアの内側を内装する部材であり、ドアトリム基材１０とアームレスト２０とを備えて構成されている。ドアトリム基材１０は、ポリプロピレン（ＰＰ）等の硬質の合成樹脂から形成されている。アームレスト２０は、ドアトリム基材１０に配設され、車室側に張り出し、車体前後方向に長尺な形状とされている。
【００２４】
アームレスト２０は、図３に示すように、ポリプロピレン等の硬質樹脂からなる芯材２１と、この芯材２１の表面を被覆する表皮材２２とから構成されている。
本例の表皮材２２は、塩化ビニル樹脂レザー等からなる表皮層２２ａと、ポリエチレンフォーム等の裏打層２２ｂとから構成されている。
【００２５】
アームレスト２０は、ドアトリム基材１０とは別体であり、ドアトリム基材１０の所定位置に取り付けられている。本例では、以下に記す組付部３０において、アームレスト２０とドアトリム基材１０とが組み付けられている。
【００２６】
組付部３０の詳細を図２及び図３に示す。組付部３０は、アームレスト２０に設けられた爪部３１と、ドアトリム基材１０に設けられ、爪部３１が係合される係合部としての爪係合面３２と、爪係合面３２に隣接して設けられたボス部３３と、ボス部３３に配設される固着部材とから構成されている。
【００２７】
爪部３１は、アームレスト２０の内側面２３に一体に設けられている。図３に示すように、爪部３１は、アームレスト２０の腕載置面２４の方向から斜め下方に向けて突出して形成されている。
爪部３１の先端部は鉤爪形状に形成され、爪係合面３２の縁部に係合可能に形成されている。
なお、爪部３１はアームレスト２０の内側面２３に確実に固着されているのであれば、アームレスト２０と一体でなくても良い。
【００２８】
図２に示すように、爪部３１の裏面３１ａには、二本のリブ３１ｂが並設されている。リブ３１ｂは、爪部３１の裏面３１ａに略平行な辺３１ｃと、傾斜辺３１ｄとを備えている。
傾斜辺３１ｄは、図３に示すように、ボス部３３の端部に位置する端面３３ｂと略面一になるように形成されている。
【００２９】
爪部３１の二本のリブ３１ｂの間には、ボス部３３の配設部３１ｅが形成されている。
配設部３１ｅは、爪部３１の先端部を半円形に切欠した形状に形成されている。
配設部３１ｅはボス部３３が嵌合可能な大きさに形成されている。
なお、配設部３１ｅは半円形に限らず、ボス部３３が嵌合可能であれば良く、矩形、多角形など、他の形状であっても良い。
【００３０】
爪部３１は、ドアトリム基材１０に一体に設けられた爪係合面３２に係合して固定される。
すなわち、図３に示すように、爪部３１の先端部が、爪係合面３２の縁部に引っ掛けられるようにして係合される。
【００３１】
ボス部３３は、ドアトリム基材１０に一体に形成され、中央には、固着部材を配設するための孔３３ａが設けられている。
ボス部３３の端面３３ｂは、上記したように、爪部３１のリブ３１ｂの傾斜辺３１ｄと同一平面上に位置するように構成されている。
【００３２】
ボス部３３には、二本のリブ３３ｃが設けられている。このリブ３３ｃの辺３３ｄもまた、図３に示すように、爪部３１のリブ３１ｂの傾斜辺３１ｄと、ボス部３３の端面３３ｂと同一平面上に位置するように構成されている。
【００３３】
ボス部３３には、固着部材としてのタッピングねじ３４が配設される。タッピングねじ３４は、頭部３４ａとねじ部３４ｂとを備え、ねじ部３４ｂがボス部３３の孔３３ａに締め込まれることにより、ねじ部３４ｂ自身が孔３３ａにねじを切りながら固着される。
【００３４】
タッピングねじ３４が締め込まれると、図３に示すように、タッピングねじ３４の頭部３４ａが、爪部３１のリブ３１ｂの傾斜辺３１ｄと、ボス部３３の端面３３ｂと、ボス部３３のリブ３３ｃの辺３３ｄに圧着される。
タッピングねじ３４の締め込みにより、爪部３１がタッピングねじ３４の頭部３４ａに押えられながら固定され、爪部３１が爪係合面３２に押し付けられて、爪部３１が確実に固定される。
【００３５】
上記組付部３０における車両用内装材の組付方法は次の通りである。
先ず、一方の部品であるアームレスト２０側に設けられた爪部３１を、他方の部品であるドアトリム基材１０側に設けられた爪係合面３２に係合させる。
爪部３１を爪係合面３２に係合させるときには、爪部３１に設けられた配設部３１ｅにボス部３３を位置させる。
上記工程では、ドアトリム基材１０とアームレスト２０の外観を目視しながら取り付けを行う。
【００３６】
次に、爪係合面３２に隣接して設けられたボス部３３に固着部材としてのタッピングねじ３４を配設する。
さらに、タッピングねじ３４を締め込みながら、爪部３１とボス部３３に押圧させる。
このようにして、アームレスト２０をドアトリム基材１０に確実に固定させる。
【００３７】
なお、車両用内装材の組付方法において、場合によっては、タッピングねじ３４を配設しなくても良い。
すなわち、爪部３１と爪係合面３２による係合だけで十分な固定強度が保てる場合は、タッピングねじ３４を配設しなくても良い。
本発明では、爪部３１とタッピングねじ３４の両方による固定を行う構成であるため、爪部３１とタッピングねじ３４による固定方法を使い分けることにより、部材によって、最適な強度で、効率良く、車両用内装材の組み付けを行うことが可能となる。
【図面の簡単な説明】
【００３８】
【図１】本発明の車両用内装材の一例としてのドアトリムを示す説明図である。
【図２】図１のＡ部裏側を示す説明図である。
【図３】図２のａ−ａ線断面図である。
【図４】図４（ａ）（ｂ）は従来例を示す説明図である。
【図５】図５（ａ）（ｂ）は従来例を示す説明図である。
【符号の説明】
【００３９】
１  ドアトリム（車両用内装材）
１０  ドアトリム基材（他方の部品）
２０  アームレスト（一方の部品）
２１  芯材
２２  表皮材
２２ａ  表皮層
２２ｂ  裏打層
２３  内側面
２４  腕載置面
３０  組付部
３１  爪部
３１ａ  裏面
３１ｂ  リブ
３１ｃ  辺
３１ｄ  傾斜辺
３１ｅ  配設部
３２  爪係合面
３３  ボス部
３３ａ  孔
３３ｂ  端面（端部）
３３ｃ  リブ
３３ｄ  辺
３４  タッピングねじ（固着部材）
３４ａ  頭部
３４ｂ  ねじ部
【図１】
2007145245.tif 000003
【図２】
2007145245.tif 000004
【図３】
2007145245.tif 000005
【図４】
2007145245.tif 000006
【図５】
2007145245.tif 000007